(57)【要約】【課題】目視検査に好適な目に優しいＬＥＤ照明装置を提供すること。【解決手段】照明装置１０は、全体がリング状で、断面の照明方向とは逆側の面が開口されている金属製のケースと、前記ケースの開口部に固着され、上面に複数色の発光ダイオードが搭載されたリング状の印刷配線基板と、中央部分に開口部が設けられ、前記印刷配線基板を覆うように、リング状ケースの上部の外側に固着されたドーム状カバーと、複数色の発光ダイオードのそれぞれの電流値を独立して任意の値に設定可能な定電流電源装置とを備える。長時間使用しても目が疲れず、目視検査に好適である。【選択図】図１
2019110045.tif 000002
【特許請求の範囲】
【請求項１】
全体がリング状で、断面の照明方向とは逆側の面が開口されている金属製のケースと、
前記ケースの開口部に固着され、上面に複数色の発光ダイオードが搭載されたリング状の印刷配線基板と、
中央部分に開口部が設けられ、前記印刷配線基板を覆うように、リング状の前記ケースの上部の外側に固着されたドーム状カバーと、
複数色の前記発光ダイオードのそれぞれの電流値を独立して任意の値に設定可能な定電流電源装置と
を備えたことを特徴とする照明装置。
【請求項２】
前記ドーム状カバーの材質が一部の光を透過する白い樹脂製であることを特徴とする請求項１に記載の照明装置。
【請求項３】
前記発光ダイオードの発行色は白色、オレンジ色、青色の３種類であることを特徴とする請求項２に記載の照明装置。
【発明の詳細な説明】
【技術分野】
【０００１】
本発明は照明装置に関するものであり、特に、目視検査に好適な発光ダイオード（以下、ＬＥＤとも記す）照明装置に関するものである。
【背景技術】
【０００２】
従来、例えば製品のラベル検査、部品表面検査、錠剤検査などに使用される照明装置が各種提案されている。下記の特許文献１には、本発明者が発明したＬＥＤ照明装置が開示されている。このＬＥＤ照明装置は、中央部に貫通孔を備えた略ドーナツ状である基台と、基台の内側に装着され、主に基台の中心軸と平行な方向に光を照射するために複数のＬＥＤ素子が装着され、中央部に貫通孔を備えた円盤状の印刷配線基板と、基台の内側に装着され、印刷配線基板を覆い、断面が円弧状である略ドーナツ状のカバーとを備える。従来の照明装置より光の照射角度の広い範囲を同時に照明可能である。
【先行技術文献】
【特許文献】
【０００３】
【特許文献１】特開２０１２−１０４２９６号公報
【発明の概要】
【発明が解決しようとする課題】
【０００４】
上記した従来の照明装置においては、カメラによる撮影用に設計されているために、目視検査に長時間使用すると目が疲れるという問題点があった。
本発明は、上記した課題を解決し、目視検査に好適な目に優しいＬＥＤ照明装置を提供することを目的とする。
【課題を解決するための手段】
【０００５】
本発明の照明装置は、全体がリング状で、断面の照明方向とは逆側の面が開口されている金属製のケースと、前記ケースの開口部に固着され、上面に複数色の発光ダイオードが搭載されたリング状の印刷配線基板と、中央部分に開口部が設けられ、前記印刷配線基板を覆うように、リング状の前記ケースの上部の外側に固着されたドーム状カバーと、複数色の前記発光ダイオードのそれぞれの電流値を独立して任意の値に設定可能な定電流電源装置とを備えたことを主要な特徴とする。
【０００６】
また、前記した照明装置において、前記ドーム状カバーの材質が一部の光を透過する白い樹脂製である点にも特徴がある。また、前記した照明装置において、前記発光ダイオードの発行色は白色、オレンジ色、青色の３種類である点にも特徴がある。
【発明の効果】
【０００７】
本発明の照明装置は上記したような特徴によって、以下のような効果がある。
（１）白色を基調とし、演色から昼光色まで（色温度３５００ケルビンから７０００ケルビン）自由に調節ができるので、長時間目視検査を行う上で目に優しく疲れない。
（２）照明装置の上部にも一部の光が照射されるので、照明装置の中央の開口部を覗き込む場合に、周辺の照明装置の上部が照明光と同様の色で光るので中央部分と周辺部分のコントラストが弱くなり、目が疲れない。かつ、照明光の色が容易に確認できる。
【０００８】
（３）照明装置を反転させて対象物の裏側から照明することによって透過光による検査が可能。
（４）光をある程度透過する白色のドーム状カバーを用いているので、従来の照明装置より照明むらが減少し、光の照射角度の広い範囲を同時に照明可能である。
【図面の簡単な説明】
【０００９】
【図１】図１は本発明の照明装置を使用した目視検査装置の構成を示す正面図である。
【図２】図２は本発明の照明装置の構成を示す平面図および断面図である。
【図３】図３は本発明の照明装置における光の経路を示す説明図である。
【発明を実施するための形態】
【００１０】
以下実施例について図面を参照して説明する。
【実施例１】
【００１１】
図１は、本発明の照明装置を使用した目視検査装置の構成を示す正面図である。この目視検査装置は、支持装置１５に上下移動可能であり、任意の高さで固着可能に支持されたＬＥＤ照明装置１０、検査対象物１２を載せた対象物搭載板１３、ルーペ（拡大鏡）１４および電源ケーブル２５によって照明装置１０と接続された電源装置１１を含む。
【００１２】
電源装置１１は３色のＬＥＤ２２のそれぞれの電流値を独立してオンオフおよび任意の値に設定可能な定電流電源装置である。また、設定した電流値をプリセット（記憶）し、再現可能である。使用者は、所望の色（色温度）になるように電源装置１１を設定して照明を点灯し、ＬＥＤ照明装置１０の中央の開口部から検査対象物１２を覗き込むことによって目視検査を行う。
【００１３】
なお、支持装置１５を外して検査対象物１２を手で把持してもよいし、ベルトコンベアやロボットアームなどを使用して検査対象物１２を移動させてもよい。また、ルーペ１４は必要に応じて着脱すればよい。更に透過光で目視検査を行う場合には、ＬＥＤ照明装置１０と検査対象物１２を載せた対象物搭載板１３の位置を交換し、ＬＥＤ照明装置１０が上方を照明するように上向きにし、透明な対象物搭載板１３を用いる。
【００１４】
図２は、本発明の照明装置の構成を示す平面図および断面図である。リング状ケース２０は例えば全体がリング状（ドーナツ状）で、図２に図示された断面の上面（照明方向とは逆側の面）が開口されている金属製のケースであり、この上面には複数のＬＥＤ２２が搭載されたリング状の印刷配線基板２３が固着されている。また、リング状ケース２２の上部の外側にはドーム状カバー２１が固着されている。
【００１５】
印刷配線基板２３上に固着されたＬＥＤ２２は白色、オレンジ色、青色の３種類のＬＥＤからなり、それぞれの色のＬＥＤ素子が順に等間隔に配置されている。そして、印刷配線によって形成されたそれぞれの色のＬＥＤの直列回路は電源ケーブル２５によってそれぞれ独立して電源装置１１に接続されている。白色、オレンジ色、青色のＬＥＤを使用することにより、様々な色温度の色をより忠実に再現可能である。
【００１６】
ドーム状カバー２１は、上部から見ると中央部に使用者が覗き込むための開口部２４が設けられた円形であり、断面がほぼ楕円形を半分に切断した形状である。材質は白色あるいは乳白色の樹脂製であり、光をある程度だけ透過する。ドーム状カバー２１の内面や外面には光を反射あるいは遮光するような塗装などは施されていない。
【００１７】
図３は、本発明の照明装置における光の経路を示す説明図である。ＬＥＤ２２から照射された光の一部はドーム状カバー２１の内部表面で全反射あるいは乱反射するほか、カバー２１を形成する樹脂の内部へも進入し、内部でも乱反射する。更に一部の光はカバー２１の外側（ＬＥＤ２２と反対側）へ透過する。
【００１８】
光がドーム状カバー２１の内面や内部の各所で乱反射するので、光が様々な方向から検査対象物１２にとどくことになる。従って、従来の照明装置より照明むらが減少し、光の照射角度の広い範囲を同時に照明可能である。
また、照明装置１０の上部にも一部の光が照射されるので、使用者が照明装置１０の中央の開口部を覗き込む場合に、照明装置１０の上部が照明光と同様の色で光るので中央部分とのコントラストが弱くなり、かつ照明光の色が容易に確認できる。
【００１９】
以上、実施例について説明したが、本発明においては以下のような変形例も考えられる。実施例においてはカバーの断面が楕円形の一部であるような構成を開示したが、カバーの形状は、断面が角の丸い四角形の一部、あるいは台形状であってもよい。
【産業上の利用可能性】
【００２０】
実施例においては本発明を目視用の照明装置に適用した例を開示したが、本発明の照明装置は任意の用途の照明装置に適用可能である。
【符号の説明】
【００２１】
１０…ＬＥＤ照明装置
１１…電源装置
１２…検査対象物
１３…対象物搭載版
１４…ルーペ
１５…支持装置
２５…電源ケーブル
【図１】
2019110045.tif 000003
【図２】
2019110045.tif 000004
【図３】
2019110045.tif 000005